(57)【要約】【課題】一つのドリンク容器で二種類以上の飲み物を味わい楽しむことが出来るようにすること。【解決手段】一つのドリンク容器の中に仕切りを設けて二種類以上の空間を作り、それぞれの空間に違った飲み物をセットし、それぞれの空間に飲み口を設ける。【選択図】  図１
0003102139.tif 000002
【実用新案登録請求の範囲】
【請求項１】
１つの容器の中に複数の空間を作り、種類の違う飲み物をセット出来るようにしたドリンク容器。
【考案の詳細な説明】
【０００１】
【考案の属する技術分野】
この考案は、１つの容器に２種類以上の飲み物をセット出来るようにしたドリンク容器に関するものである。
【０００２】
【従来の技術】
例えば自動販売機で缶コーヒーを買って１本飲み終わった時、口直しにお茶が欲しくなる時がある。そんな時もう１本お茶を買っても飲みきれないので口の中に嫌な甘ったるさを感じながら諦めたり、例え買ったにしても飲み切れずに少し飲んで捨てることの方が多かった。
【０００３】
又、喉が渇いている時ならともかく、ちょっと一服気分転換に飲む場合には従来の缶コーヒー容器では量的に多過ぎたり、糖分量を考えたりして残す場合も少なくなかった。
【０００４】
ジュースの場合では、量は少なくていいので２種類のジュースを飲みたい時、従来のジュース容器では量的に１本飲むのがやっとなので、もう１種類の方を諦めるか、２種類買っても全部飲みきれず捨てることが多かった。
【０００５】
特に小さい子供の場合は従来の容器では多過ぎるし、量よりも色々な種類を欲しがる傾向にあり、自動販売機の前で小さい子供を納得させるのに苦労している母親の姿は日常よく見られる。
【０００６】
【考案が解決しようとする課題】
従来のドリンク容器は、１容器に１種類のドリンクが普通であり、１度に複数種類のドリンクを飲みたい場合には、量的に見て１種類に絞って他のを諦めるか、複数種類を買って飲みきれない部分を捨てるかしかなかった。
【０００７】
本考案は、このような従来のドリンク容器の欠点を、飲む側のニーズに合わせて、１本のドリンク容器で２種類以上の飲み物が飲めるように改善するためになされたものである。
【０００８】
【課題を解決する為の手段】
１つのドリンク容器の中に仕切りを作ったり、少量容器を複数重ね合わせて１つのドリンク容器にしたりたりして、１つのドリンク容器の中に複数の空間を作り、種類の違う飲み物をセット出来るようにした。
【０００９】
【考案の実施の形態】
考案の実施の形態を、図面を参照して説明する。図面の図１は缶入りドリンク容器の場合、図２は紙パック容器の場合、図３はペットボトル容器の場合の、１つの実施の形態をあらわしたものである。
【００１０】
缶入りドリンクの場合は図１のように、缶の中ほどに仕切りを設ける。もしくは２つの容器を重ね合わせて１つの容器にすることも出来る。上面と下面に飲み口を設ける。底面の飲み口の衛生保持と反対面から飲む時の滴り防止の為に、プラスチックのキャップを１つセットすると尚良い。
【００１１】
紙パックの場合は図２のように、紙パックの中に仕切りを設ける。もしくは少量容器を重ね合わせて１つの容器にすることも出来る。側面のそれぞれにストローの刺し口を設ける。ストローを２本セットすれば１つの容器を２人で飲めて尚良い。
【００１２】
ペットボトルの場合は図３のように、容器の中に仕切りを設ける。上下に従来どうりのキャップ付きの飲み口を設ける。図のように外周面をキャップの高さにまで延ばせば、どちらを上にしてもボトルが置きやすくなるので尚良い。
【００１３】
【考案の効果】
上述のような形態をもってなされる本考案は、以下のような効果をもたらすことが出来る。
【００１４】
例えばコーヒーを飲んだあと、口直しにお茶を飲みたいとき缶の底側の飲み口を開けてお茶を飲むことにより、口の中の甘ったるさを去り爽快な満足を得ることが出来る。
【００１５】
１人で２種類以上の飲み物が欲しいが、量的に２本以上は多すぎる時、１つの容器に少量ずつ２種類以上セットされているので、量的にもちょうどいいし、欲求も満たされ、得した気分になれる。
【００１６】
区分けして２種類以上の飲み物がセットされているので、容器を開けても１度に全部飲まなくてもよく、時間をずらして飲むことも出来るようになる。
【００１７】
セットする飲み物を様々に組み合わせることによって、１本のドリンク容器のバリエーションが様々に広がり、組み合わせ方で買う人の気分をも演出できるメリットも生まれる。
【図面の簡単な説明】
【図１】缶製のドリンク容器の立体図である。
【図２】缶製のドリンク容器の断面図である。
【図３】紙製のドリンク容器の立体図である。
【図４】紙製のドリンク容器の断面図である。
【図５】ペットボトル製のドリンク容器の立体図である。
【図６】ペットボトル製のドリンク容器の断面図である。
【符号の説明】
▲１▼  缶製のドリンク容器の飲み口
▲２▼  缶製のドリンク容器の中仕切り
▲３▼  缶製のドリンク容器のキャップ
▲４▼  紙製のドリンク容器の飲み口
▲５▼  紙製のドリンク容器の中仕切り
▲６▼  ペットボトル製のドリンク容器の飲み口とキャップ
▲７▼  ペットボトル製のドリンク容器の中仕切り
【図１】
0003102139.tif 000003
【図２】
0003102139.tif 000004
【図３】
0003102139.tif 000005
【図４】
0003102139.tif 000006
【図５】
0003102139.tif 000007
【図６】
0003102139.tif 000008
【手続補正書】
【提出日】平成15年7月2日(2003.7.2)
【手続補正１】
【補正対象書類名】明細書
【補正対象項目名】実用新案登録請求の範囲
【補正方法】変更
【補正の内容】
【実用新案登録請求の範囲】
【請求項１】
・缶製のドリンク容器においては、従来の容器の中ほどに仕切りをもうけて２つの空間を作り、容器の上面と下面に飲み口をもうけ、それぞれにタブを付けたもの。
・紙製のドリンク容器においては、従来の容器の中に仕切りをもうけて２つ乃至３つの空間を作り、それぞれの空間に一つのストローの刺し口をもうけたもの。
・ペットボトル製のドリンク容器においては、従来のペットボトルの中ほどに仕切りをもうけて２つの空間を作り、容器の上面と下面に飲み口をもうけ、それぞれにキャップをつけたもの。
【手続補正書】
【提出日】平成15年9月25日(2003.9.25)
【手続補正１】
【補正対象書類名】実用新案登録請求の範囲
【補正対象項目名】全文
【補正方法】変更
【補正の内容】
【実用新案登録請求の範囲】
【請求項１】
２種類以上の飲み物を、１つのドリンク容器にセット出来るようにするについて、
（１）缶製のドリンク容器においては、容器の中に仕切りをもうけて２つの空間を作り、容器の上面と下面に飲み口をもうけ、それぞれの飲み口にタブをつける。
（２）紙製のドリンク容器においては、容器の中に仕切りをもうけて２つ乃至３つの空間を作り、それぞれの空間に１つのストローの刺し口をもうける。
（３）ペットボトル製のドリンク容器においては、容器の中に仕切りをもうけて２つの空間を作り、容器の上面と下面に飲み口をもうけ、それぞれの飲み口にキャップをつける。
以上からなるドリンク容器。
【手続補正書】
【提出日】平成16年1月13日(2004.1.13)
【手続補正１】
【補正対象書類名】明細書
【補正対象項目名】実用新案登録請求の範囲
【補正方法】変更
【補正の内容】
【実用新案登録請求の範囲】
【請求項１】
２種類以上の飲み物を、１つのドリンク容器にセット出来るようにするについて、
（１）缶製のドリンク容器においては、容器の中に仕切りをもうけて２つの空間を作り、容器の上面と下面に飲み口をもうけ、それぞれの飲み口にタブをつける。
（２）紙製のドリンク容器においては、容器の中に仕切りをもうけて２つ乃至３つの空間を作り、それぞれの空間に１つのストローの刺し口をもうける。
（３）ペットボトル製のドリンク容器においては、容器の中に仕切りをもうけて２つの空間を作り、容器の上面と下面に飲み口をもうけ、それぞれの飲み口にキャップをつける。
以上（１）〜（３）の、いずれかを特徴とするドリンク容器。